(57)【要約】【課題】靴底の巻上げ部の剥離防止されるスポーツシューズを提供する。【解決手段】靴底２０と、胛被３０と、少なくとも前記胛被の爪先を保護するプロテクタ４０とを備えたスポーツシューズ１０において、当該プロテクタの下端部に設けたプロテクタフランジ部４１にはその外側下端部に段差４２を設けて切り欠き部４３を形成し、該切り欠き部４３に前記靴底の爪先巻上げ部２１をプロテクタ４０の外側面より突出しないように取り付けた。前記プロテクタ４０はその硬度を靴底２０より硬くした。前記プロテクタ４０はその切り欠き部４３の表面を粗面にした。【選択図】図２
0003183311.tif 000002
【実用新案登録請求の範囲】
【請求項１】
靴底と、胛被と、少なくとも前記胛被の爪先を保護するプロテクタとを備えたスポーツシューズにおいて、当該プロテクタの下部に設けたプロテクタフランジ部にはその外側下周縁部に窪みの段差を設けて切り欠き部を形成し、該切り欠き部に前記靴底の爪先巻上げ部をプロテクタの外側面より突出しないように取り付けたことを特徴とするスポーツシューズ。
【請求項２】
前記プロテクタは硬質の合成樹脂からなり、その硬度を靴底の硬度より硬くしたことを特徴とする請求項１のスポーツシューズ。
【請求項３】
前記プロテクタの切り欠き部の表面を粗面にしたことを特徴とする請求項１又は２記載のスポーツシューズ。
【考案の詳細な説明】
【技術分野】
【０００１】本考案は、靴の爪先部に胛被を保護するための爪先補強片を備えたスポーツシューズに関するものである。
【背景技術】
【０００２】従来、靴の爪先部に胛被を保護するために爪先補強片を備えたスポーツシューズは一般に知られている。例えば、靴底と、胛被と、少なくとも前記胛被の爪先を保護するプロテクタとを備え、前記胛被に設けた前記靴底と縫い合わせるための吊り込み部と前記靴底とを縫合したスポーツシューズにおいて、前記プロテクタは爪先の形状に沿った立体形状に形成されており、当該プロテクタの下端部に設けたプロテクタフランジ部を、前記吊り込み部と前記靴底との間に挟んで縫合したスポーツシューズが開示されている。（特許文献１）【０００３】また、スポーツシューズのトウガード構造体において、シューズの胛被部のつま先部に設けられ、少なくとも一つの開口を有すると共に、硬質素材から構成されたトウガード本体と、シューズのアウトソール先端から伸びかつ胛被部の爪先部の上において前記トウガード本体を有すると共に、グリップ性を有する素材から構成された巻上げ部と、を備えたスポーツシューズのトウガード構造体が開示されている。（特許文献２）
【先行技術文献】
【特許文献】
【０００４】
【特許文献１】特開平１０−１０８７１０公報
【特許文献２】特開２００４−２６７３８８公報
【考案の概要】
【考案が解決しようとする課題】
【０００５】しかしながら、従来の特開平１０−１０８７１０公報記載のスポーツシューズは胛被の爪先を保護するプロテクタの下端部に、吊り込み部の幅より広くなったプロテクタフランジ部を曲折形成し、当該プロテクタフランジ部を吊り込み部と靴底の間に挟みこんで縫い合わせてなる構造であるがプロテクタの剥がれ防止の縫合作業が爪先部に至るため煩雑となり製造コスト高になっていた。【０００６】また、特開２００４−２６７３８８公報記載のスポーツシューズのトウガード構造体においては、アウトソールの巻上げ部の一部がトウガードの開口部から露出する構造であるため、事前にそれら構造に適合し形成された部品が必要となり、しかもその組み立て作業工程が複雑となるため、これも製造コスト高となっていた。
【課題を解決するための手段】
【０００７】本考案はこれら問題点を解決し、簡易な作業でプロテクタの剥がれ防止ができ且つ製造コストの低減が図られると共に爪先部が外力から保護されるスポーツシューズを提供することを目的とするものである。即ち、本考案のスポーツシューズは靴底と、胛被と、少なくとも前記胛被の爪先を保護するプロテクタとを備えたスポーツシューズにおいて、当該プロテクタの下部に設けたプロテクタフランジ部にはその外側下周縁部に窪みの段差を設けた切り欠き部を形成し、該切り欠き部に前記靴底の爪先巻上げ部をプロテクタの外側面より突出しないように取り付けた。【０００８】また、本考案のスポーツシューズは前記プロテクタの硬度を靴底の硬度より硬くした。【０００９】さらに、本考案のスポーツシューズは前記プロテクタフランジ部の切り欠き部の表面を粗面にした。
【考案の効果】
【００１０】本考案はプロテクタフランジの切り欠き部に取り付けた靴底の巻上げ部がプロテクタの表面より突出しないように形成されるので、外力による剥離が防止されると共に簡単な接着による取り付け作業であるため製造コストを低減できる。また、本考案はプロテクタが靴底の硬度より大にしているので、その上部では厚みが厚い分強固に形成されるため爪先が外力から保護されると共にその下部ではプロテクタフランジ部が薄く形成されて柔らかく密着しなじみ易くなるため靴底との接着力が向上される。さらに、本考案はプロテクタフランジの切り欠き部の表面が粗面で形成されているので、接着剤がその粗面の凸凹に入り込むため靴底巻き上げ部との接着面積が増加しより一層接着力が強化され、より一層剥離が防止される。
【図面の簡単な説明】
【００１１】
【図１】本考案の一実施例によるスポーツシューズの斜視図である。
【図２】図１に示すＸ−Ｘ断面図である。
【図３】図１に示すプロテクタの斜視図である。
【考案を実施するための形態】
【００１２】本考案の実施態様を図面に基づいて説明する。図１は本考案の一実施例を示すスポーズシューズ１０であって、サッカーシューズ、ランニンシューズ、野球シューズなどに用いられる。スポーツシューズ１０は、靴底２０、胛被３０、プロテクタ４０で構成されている。
【００１３】前記プロテクタ４０は、硬質の合成樹脂製からなり、具体的には塩化ビニルでＪＩＳ−Ａ硬度８０〜９０度のものが使用される。また、プロテクタ４０の形状は胛被爪先部を覆った形状からなり、横幅は第１指〜第５指の位置まで至るように形成される。またプロテクタ４０はその下部の外側下周縁部に靴底２０の爪先巻上げ部２１が取り付けられるための窪みの段差４２を設けた切り欠き部４３が設けられると共に下縁に沿って厚みを漸次薄く形成したプロテクタフランジ部４１が形成される。またその切り欠き部４３の表面には梨地模様程度の粗面４４が形成される。そして、必要によってはプロテクタ４０の上部外表面には、外力に一層耐えるように凸凹意匠を設けてもよい。
【００１４】靴底２０は天然ゴム、合成ゴム、またそれらの混合物が使用される。靴底２０はその爪先部が巻き上げ構造からなり、接地面側には地面との滑り防止の凹凸意匠が設けられ、その硬度をＪＩＳ−Ａ硬度５５〜６５度のものが使用される。胛被３０は通常用いられる天然皮革、合成皮革や合成繊維などが用いられ作成される。
【００１５】プロテクタ４０はその内側面を胛被３０に接してプロテクタフランジ部４１を胛被３０と靴底２０との間に挟むように設けるとともに、プロテクタ４０の外側下周縁部に形成された切り欠き部４３に、その段差より厚さが同一又はそれより薄くした靴底巻上げ部２１を備えた靴底２０をプロテクタ４１の外側面と同一面又は突出しないように取り付けられてスポーツシューズ１０が完成される。
【００１６】完成されたスポーツシューズ１０は、上記の通り靴へのプロテクタ４０の取り付け作業が容易であるので製造コストの低減を図ることができる。また本考案は靴底２０の巻上げ部２１がプロテクタ４０の外側面より突出しない構造であるので外力による引っかかりが発生しないので剥がれが防止される。本考案は前記切り欠き部４３の表面を粗面４４にしておけば、接着剤が粗面の凸凹に入り込むため接着面積が増加し接着力を高めることができるため、より一層剥がれ防止が図れる。
【００１７】前記プロテクタ４０はその本体の硬度を靴底より硬くしたものを使用した。これにより、プロテクタ４０はその上部が硬いので外力に対して対抗できて爪先が保護され、またその下部ではプロテクタフランジ部４１が薄く形成されてその部分が柔軟になり密着し易くなるため靴底２０との接着向上が図られる。
【実施例】
【００１８】本考案のスポーツシューズ１０はその胛被３０の爪先部を保護するプロテクタ４０を取り付けたサッカーシューズとし、そのプロテクタ４０は硬質の塩化ビニルで作成しその硬度をＪＩＳ−Ａ９０度とした。プロテクタ４０はその上部を略胛被爪先部の第１指から第５指を覆った形状からなり、また下部にはプロテクタフランジ部４１を設け、その外側下周縁部に窪みの段差を設けて切り欠き部４３を形成し、下縁に向かって漸次厚みを薄く形成した形状からなる。また、靴底２０はその硬度をＪＩＳ−Ａ６０度とした。【００１９】本考案のスポーツシューズ１０は胛被爪先部にプロテクタフランジ部４１を胛被３０と靴底２０の爪先の巻上げ部２１との間に挟み、その靴底巻上げ部２１の外側面をプロテクタ４０の外側面から突出しないように形成されプロテクタ４０が接着剤で接着され完成される。完成したスポーツシューズ１０はプロテクタ４０により爪先部が保護されると共に靴底２０の巻上げ部２１がプロテクタ４０から剥がれることなく、また組み立てが簡単であるので製造コストの低減が図れた。
【符号の説明】
【００２０】１０  スポーズシューズ
２０  靴底
２１  爪先巻上げ部
３０  胛被
４０  プロテクタ
４１  プロテクタフランジ部
４２  段差
４３  切り欠き部
４４  粗面
【図１】
0003183311.tif 000003
【図２】
0003183311.tif 000004
【図３】
0003183311.tif 000005